(57)【特許請求の範囲】
【請求項１】
酒気検知器は、以下の構成からなる：
呼気気体標本を採取し、該呼気標本の分析に基づき血中アルコール濃度（ＢＡＣ％）を測定するアルコールセンサが；
１つ以上の基準値からなる前記アルコールセンサの測定データを記憶するための不揮発性メモリと、
２つのモードで酒気検知器を操作する処理装置であって；
（Ａ）シミュレータとしてユーザの身体を使う酒気検知器で測定する測定モードとして、
ユーザのアルコール代謝速度に関する情報、ユーザが摂取したアルコールの摂取量とその種類、および飲酒開始時間を取得し、
ユーザが摂取したアルコールの摂取量とその種類から、最大アルコール値を決定し、
ユーザのアルコール代謝速度と最大アルコール値を使用し、飲酒開始時刻から基準キャリブレーションポイントまでの時間を計算し、これに基づいて、ユーザから呼気標本を採取する採取時間を決定するとともに、
基準値を提供するために、前記採取時間にユーザによって提供される前記呼気標本に基づいたＢＡＣ％の測定値を前記アルコールセンサから取得し、
前記基準値を記憶すること、および、
（Ｂ）オペレーションモードとして、
アルコールセンサによって測定されたＢＡＣ％と不揮発性メモリに記憶されている前記測定データに基づいてＢＡＣ％値を提供することからなる。
ユーザへＢＡＣ％測定値および他の情報を開示するためのディスプレイと、
処理装置、アルコールセンサ、不揮発性メモリおよびディスプレイを格納するハウジングと、
とからなる。
【請求項２】
請求項１記載の酒気検知器の前記処理装置は、酒気検知器の測定のために呼気標本を提供するため、採取時間の前の所定の時刻に、ディスプレイ上のアラームまたはメッセージによって、ユーザに警告を発することを特徴とする請求項１記載の酒気検知器。
【請求項３】
前記請求項１記載の酒気検知器は、さらに、ユーザのアルコールの摂取量とその種類に関する情報を入力するためにハウジングの上に１つ以上のボタンあるいはピンホールを備え、処理装置は、ディスプレイ上にユーザによるボタンを使用した選択のためにアルコールの種類のリストを提供し、不揮発性メモリにユーザの選択を記録することを特徴とする請求項１記載の酒気検知器。
【請求項４】
前記請求項１記載の酒気検知器は、処理装置が、アルコール摂取後にユーザの循環系に存在するアルコールの所定の時間のずれにより、採取時間を修正することを特徴とする請求項１記載の酒気検知器。
【請求項５】
前記請求項１記載の処理装置は、所定の期間の最大のアルコールレベル及びユーザの呼気標本のＢＡＣ％測定値に基づいてユーザのアルコール代謝速度を決定することを特徴とする請求項１記載の酒気検知器。
【請求項６】
前記請求項５記載の処理装置は、ユーザのアルコール代謝速度を測定するために、統計的に十分満足できる数の測定値が得られるまで、所定間隔でユーザから提供される呼気標本に基づいたアルコールセンサからのＢＡＣ％測定値を取得するとともに、所定間隔で酒気検知器に呼気標本を提供するように、ディスプレイ上にアラームまたはメッセージでユーザに警告を発することを特徴とする請求項５記載の酒気検知器。
【請求項７】
前記請求項１記載の酒気検知器は、ポータブル酒気検知器、硬貨投入式の酒気検知器、キーチェーン式酒気検知器あるいは自動車用の点火装置式酒気検知器のいずれかであるか、または、タブレット、ラップトップ、パソコン、携帯電話、ＧＰＳナビゲーション装置、デジタルカメラあるいは携帯情報端末のようなプロセッサを装備した装置のいずれかであることを特徴とする請求項１記載の酒気検知器。
【請求項８】
前記請求項６記載の酒気検知器は、さらに外部のアルコールのテストユニットとして、アルコールセンサと、プロセッサを装備した処理装置へワイヤレスでＢＡＣ％測定値を通信するための通信ユニットを備えるか、または、プロセッサを装備した装置のＵＳＢポートを介して処理装置と通信するためのＵＳＢコネクタを備えることを特徴とする請求項６記載の酒気検知器。
【請求項９】
シミュレータとしてユーザの身体を使って酒気を検知する装置は、以下の構成からなる：
ユーザのアルコール代謝速度に関する情報、および、ユーザのアルコールの摂取量とその種類および飲酒開始時間を取得するための入力装置と;
ユーザのアルコール摂取量とその種類から最大のアルコールレベルを決定し、ユーザからの酒気検知器による呼気標本を取得する採取時間を決定し、ユーザのアルコール代謝速度と最大のアルコールレベルを使用して計算された飲酒開始時刻から、所定のキャリブレーションポイントまでの時間に基づいて、ユーザから呼気標本を取得する採取時間を決定し、
さらに、基準値を提供する採取時間に、ユーザによって提供された呼気標本に基づいて酒気検知器によって得られた血中アルコールからＢＡＣ％測定値を取得するプロセッサと；
前記基準値を記憶するためのメモリと；
ユーザによって呼気標本に基づいたＢＡＣ％からなる測定データとして酒気検知器に入力される前記基準値を表示するためのディスプレイ；
とからなる。
【請求項１０】
前記請求項９記載の酒気を検知する装置のプロセッサは、酒気検知器に呼気標本を提供するため、採取時間の前の所定の時刻に、ディスプレイ上のアラームまたはメッセージによって、ユーザに警告を発することを特徴とする請求項９記載の酒気を検知する装置。
【請求項１１】
前記請求項９記載の酒気を検知する装置のプロセッサは、入力装置を使用してユーザがアルコールの種類の選択をするリストをディスプレイ上に提供するとともに、メモリはユーザの選択を記憶することを特徴とする請求項９記載の酒気を検知する装置。
【請求項１２】
前記請求項９記載の酒気を検知する装置のプロセッサは、ユーザのアルコール摂取後にユーザの循環系に存在するアルコールが所定の時間ずれるので、採取時間を修正することを特徴とすることを特徴とする請求項９記載の酒気を検知する装置。
【請求項１３】
前記請求項９記載の酒気を検知する装置のプロセッサは、所定の期間の最大のアルコールレベル及びユーザの呼気標本のＢＡＣ％測定値に基づいてユーザのアルコール代謝速度を決定することを特徴とする請求項９記載の酒気を検知する装置。
【請求項１４】
前記請求項１３記載の酒気を検知する装置のプロセッサは、ユーザのアルコール代謝速度の測定のために、統計的に十分満足できる数の測定値が得られるまで、所定の間隔で酒気検知器に呼気標本を提供するように、ディスプレイ上にアラームまたはメッセージでユーザに警告を発することを特徴とする請求項１３記載の酒気を検知する装置。
【請求項１５】
前記請求項９記載の酒気を検知する装置は、タブレット、ラップトップ、パソコン、携帯電話、ＧＰＳナビゲーション装置、デジタルカメラあるいは携帯情報端末のようなプロセッサを装備した装置のいずれかであることを特徴とする請求項９記載の酒気を検知する装置。
【請求項１６】
前記請求項９記載の酒気を計測検知する装置のウェブサーバは、基準値を記憶するメモリと、最大のアルコールレベルを決定し、採取時間を決定し、ＢＡＣ％の測定値を取得するプロセッサとからなり；
また、Ｗｅｂ対応のクライアントデバイスは、酒気の計測検査するためにインターネット上でＷｅｂサーバにアクセスして使用され、また、クライアントデバイスは、ユーザからの情報を取得するために使用される入力装置と、ユーザへ基準値を表示するために使用するディスプレイを備えていることを特徴とする請求項９記載の酒気を検知する装置。
【請求項１７】
前記請求項９記載の酒気を計測検知する装置のウェブサーバは、採取時間を決定し、最大アルコールレベルを決定するとともに、ＢＡＣ％測定値を取得するプロセッサからなり、
また、Ｗｅｂ対応のクライアントデバイスは、酒気を計測検査するために、インターネット上でＷｅｂサーバにアクセスして使用され、また、クライアントデバイスは、ユーザから情報を受信するために使用する入力装置からなるとともに、基準値を記憶するメモリと、ユーザへ基準値を表示するために使用するディスプレイを備えていることを特徴とする請求項９記載の酒気を検知する装置。
【発明の詳細な説明】
【技術分野】
【０００１】
本件に係る発明は、一般的には酒気検知器に関し、より具体的には、ユーザ（被検体）の身体をシミュレータとして使った酒気計測検知器および酒気計測検知装置に関する。
【背景技術】
【０００２】
専門的な業務上の使用（例えば、臨床、産業、ヘルスケアまたは仕事場の環境)と、個人的な使用（例えば、一般消費者の域）の両方を目的とした酒気検知器の有効性と利用可能性は、非常に拡大しており、また、この拡大により、すべての酒気検知器を定期的に再整備（再検査）する必要性があり、市場で多くの不都合（障害）を起こしている。
酒気検知器はシミュレーションを使用した計測検査の実施されるサービスセンタの地域を選択して広く郵送または配達されなければならないが、この整備期間は使用者には利用不可能となり、市場の拡大により、サービスセンタの困惑は増大している。
本件に係る発明は、酒気検知器の整備の検査（または再整備・検査）における、事態を改善するものであり、エンドユーザ（最終使用者）の時間や利便性（実用性）の喪失や、サービスセンタの維持管理、ならびに、酒気検知器の配送や取扱いの時間とコストを大幅に減少または解消するものである。
【０００３】
従来の酒気検知器は、主としてアルコールセンサーコンポーネント、処理装置（またはＣＰＵ）、結果を表示するディスプレイ装置から構成されている。
通常、呼気（吐出す息）アルコール検知器は、標準仕様(整備済アルコール溶液)を使用して、選択した較正点（計測点）と一致するように測定され、また、処理装置（またはＣＰＵ）は、較正点を使用して、線形計算に基づいてＢＡＣ％を決定する。
時間の超過と用法（一般的には数百回におよぶ検査、および／または所定の期間経過後）により呼気アルコール検知器は、望ましくない残留物やこれに限定されるものではないが、例えば唾液、タバコの煙の残留物、食品の粒子等を含む異物によって、検知器によって検出されたアルコール分子の電気的な値が修正されてしまうので、再整備（再検査）が必要となる。
現行の酒気検知の検査（または再検査）では、消費者またはエンドユーザが酒気検知器による計測を必要とする場合は、サービスセンタが酒気検知器販売店に連絡をとる。
つまり、販売店は、エンドユーザに適宜のサービスセンタの場所へ酒気検知器を送ることを指示することになる。
サービスセンタは、飲酒検知器を受取ってから、標準仕様による装置で再整備（再検査）するために整備されたアルコール溶液を使用する。
この再整備（再検査）が完了すると、飲酒検知器はエンドユーザに逆出荷される。
再整備（再検査）のための手続きである配送および荷物の取扱は、時間の浪費でありコストがかかり、エンドユーザにとって時間および利便性（実用性）の喪失となる。
現在のところ、１００以上の販売店(オンライン及びオフライン)および／または卸業者が消費者またはエンドユーザへ酒気検知器ユニットを販売している。一方、１０未満のサービスセンタ地域が従来の酒気検知器の再整備（再検査）を行うために存在する。
この食い違いにより、酒気検知器ユニットの全体的な売上の増加は、再整備・検査（個々の酒気検知器の必要性と定期点検の両方）の要請によりサービスセンタを困惑させている。
【０００４】
典型的には（通常は）、酒気検知器は、標準アルコール溶液、または乾性ガスボンベによるシミュレータを使用して計測される。
どちらの方法においても、酒気検知器で計測するためには特殊工具（特別な道具）と標準溶液またはガスが必要となる。
従って、エンドユーザは、自分の酒気検知器を、酒気検知器の整備・検査のために、第三者であるサービスセンタへ搬送するか、または、例えば、酒気検知器自体の再整備（再検査）をするための必要な特殊工具（特別な道具）であるシミュレータを購入する必要がある。
【０００５】
従来の再整備（再検査）システムと手続には、複数のトランザクション、および/または、数個の構成要素間の通信とが含まれる。
一般的には（通常は）、エンドユーザ（酒気検知器の一般的な購入者、所有者あるいはオペレータ操作者・使用者）は、酒気検知器に再整備（再検査）が必要であること報告するために酒気検知器を購入した販売店に連絡をとる。
現在、酒気検知器の販売店の大多数は、自身で再整備（再検査）を行なうことができないので、販売店は、エンドユーザから再整備（再検査）を必要とする酒気検知器を受け取り、酒気検知器サービスセンタへまとめて搬送するか、または、再整備（再検査）を必要とする酒気検知器をサービスセンタに直接搬送するように販売店がエンドユーザに指示する。
サービスセンタが再整備（再検査）を必要とする酒気検知器を受け取った場合、受領記録、搬送記録、消費者および販売店（業者）に関する詳細な情報は、再整備（再検査）する酒気検知器の搬送・処理におけるエラーを最小限に抑えるために保存しなければならない。
さらに、発生する可能性のあるいくつかの問題は、複数の特定の状況が発生していないエンドユーザの複数の関係者が含まれるという問題があり、解決が複雑となる（例えば、一台の再整備（再検査）には、販売店も卸業者もサービスセンタもエンドユーザも関わる可能性がある）。
複数の通信、取引、記録管理、処理、および搬送は、各々の再整備（再検査）、遅延やコストの着実な増加と関連しており、他の問題は、酒気検知器業界では再整備（再検査）は回避することができず、定期的に必要であると考えられる。
【０００６】
酒気検知器の再整備（再検査）のための搬送に要する時間と利便性（実用性）の損失を緩和するために、あるエンドユーザは、１または複数の装置が再整備（再検査）のサービスを受けている間でも、少なくとも１台は酒気検知器が使用出来るように複数の酒気検知器を購入している。
一部のエンドユーザは、この種の応急措置のための経費の増加を許容できないので、呼気アルコール検査の一時的な中断や、必要な再整備（再検査）のポイントを超えて酒気検知器ユニットを過剰使用するという妥協が行われている。（それにより酒気検知器がますます不正確な測定値を表示することになっている。）
多くのケースでは、エンドユーザは、再整備（再検査）の煩雑さを主な原因として酒気検知器の全体を使用しない選択をしている。
酒気検知器の業界では再整備（再検査）は絶対に必要ではあるが、特に職場（仕事場）や、正確さと継続的な利便性（実用性）の両方が必要とされる病院や他の専門的環境における市場（業界）の急速な拡大の１つの主な障害となっている。
【０００７】
従って、本件に係る発明は、現在のサービスセンタシステムのコストを超えない効率的な解決策を導入し、特にエンドユーザの時間と利便性（実用性）の損失を現実に排除し、サービスセンタの幾多の労働時間と搬出コストの削減により、酒気検知器サービスセンタとエンドユーザの両者に大きな利益を与える意図をもって推進される。
【発明の概要】
【０００８】
従って、本件に係る発明の目的は、従来の方法に代替する大幅に改善された酒気検知器の再整備（再検査）を提供することにあり、それは、エンドユーザの時間と利便性（実用性）の損失を軽減・除去することにより、市場の安全性を支援し、また、産業界または病院の酒気検知器装置の特定のニーズに対応することにより市場の拡大となる。
【０００９】
更に、本件に係る発明は、現在の酒気検知器に関する上述の問題を解決する呼気酒気検知器を提供することを目的としている。
【００１０】
本件に係る発明の例示的な実施形態では、酒気検知器は、アルコールセンサ、不揮発性メモリ、処理装置またはプロセッサ、ディスプレイ（表示装置）、と、これらの構成要素を収容するハウジングとからなる。
アルコールセンサは、呼気（吐き出した）気体試料を取得し、呼気標本の分析に基づいて血中アルコール濃度（ＢＡＣ％）を測定する。
不揮発性メモリは、酒気検知器のＢＡＣ％範囲内の1つまたはそれ以上の基準値からなるアルコールセンサの計測データを記憶（蓄積）し、分析または表示することができる。
処理装置は、２つのモードで酒気検知器を操作する。
キャリブレーション（測定）モードにおいては、処理装置は、ユーザ（被検体）の代謝速度に関する情報、ユーザ（被検体）が摂取したアルコールの摂取量とその種類、および飲酒開始時刻に関する情報を取得し、ユーザ（被検体）の身体をシミュレータとして使用して酒気検知器の測定する;
ユーザ（被検体）が摂取したアルコールの摂取量とその種類から、最大アルコール値（レベル）を決定（検出）する；
ユーザ（被検体）の代謝速度と最大アルコール値（レベル）を使用し、飲酒開始時刻から基準キャリブレーションポイントまでの時間を計算し、これに基づいて、ユーザ（被検体）から呼気標本を採取するサンプル（採取）時間を決定（検出）する；
基準値を提供するために、サンプル（採取）時間にユーザ（被検体）によって提供される呼気標本に基づいてアルコールセンサからＢＡＣ％の測定値を取得する；
操作（オペレーション）モードにおいては、処理装置は、アルコールセンサによって測定されたＢＡＣ％と、不揮発性メモリに記憶（蓄積）されている計測（キャリブレーション）データに基づいてＢＡＣ％値を提供する。
処理装置は、ディスプレイ上でユーザ（被検体）へＢＡＣ％測定値およびその他の情報を表示する。
【００１１】
本件に係る発明の例示的な実施形態では、酒気検知器の上述の処理装置は、酒気検知器の測定のために呼気標本（サンプル）を提供するため、サンプル（採取）時間の前の所定の時刻にディスプレイ上のアラーム、振動、スピーカーまたはメッセージによって、ユーザ（被検体）に警告を発する。
【００１２】
本件に係る発明の例示的な実施形態では、上述の酒気検知器は、さらに、ユーザ（被検体）のアルコールの摂取量とその種類に関する情報を入力するためにハウジングの上に１つまたはそれ以上のボタンを備えている。
処理装置は、ディスプレイ上に、ユーザのボタンを使用する選択のために、アルコールの種類のリストを提供し、ユーザの選択を不揮発性メモリに記録する。
【００１３】
本件に係る発明の例示的な実施形態では、酒気検知器の上述した処理装置（プロセシング・ユニット）は、アルコール摂取後にユーザ（被検体）の循環系に存在するアルコールの所定の時間のずれにより、サンプル（採取）時間を修正する。
【００１４】
本件に係る発明の例示的な実施形態では、酒気検知器の上述した処理装置は、所定の期間の最大のアルコールレベル及びユーザ（被検体）の呼気標本のＢＡＣ％測定値に基づいてユーザ（被検体）の代謝速度を決定する。
【００１５】
本件に係る発明の例示的な実施形態では、酒気検知器の上述した処理装置は、ユーザ（被検体）の代謝速度の測定のために、統計的に十分満足できる数の測定値が得られるまで、所定間隔でユーザ（被検体）から提供される呼気標本に基づいたアルコールセンサからのＢＡＣ％測定値を取得する。
【００１６】
本件に係る発明の例示的な実施形態では、酒気検知器の上述した処理装置は、所定の間隔で酒気検知器に呼気標本を提供するように、ディスプレイ上のアラームまたはメッセージでユーザ（被検体）に警告を発する。
【００１７】
本件に係る発明の典型的な実施形態では、上述した酒気検知器は、ポータブル酒気検知器、硬貨投入式の酒気検知器、キーチェーン式酒気検知器あるいは自動車用点火装置酒気検知器のいずれかである。
【００１８】
本件に係る発明の例示的な実施形態では、上述した酒気検知器は、さらに、所定温度にアルコールセンサを温めるための加熱ユニットを装備する。
【００１９】
本件に係る発明の例示的な実施形態では、酒気検知器の上述したアルコールセンサは、前記呼気標本のアルコール濃度のレベルを変えることにより伝導性の変化を検知する。
【００２０】
本件に係る発明の例示的な実施形態では、シュミレータとしてユーザ（被検体）の身体を使う酒気を検知する装置は、入力装置、プロセッサ、メモリとディスプレイとからなる。
入力装置は、ユーザ（被検体）の代謝速度に関する情報、および、ユーザのアルコール摂取量とその種類及び飲酒開始時間に関する情報を取得する。
プロセッサは、ユーザのアルコール摂取量とその種類から最大のアルコールレベルを測定し、ユーザからの酒気検知器による呼気標本を取得するサンプル（採取）時間を測定し、ユーザの代謝速度と最大のアルコールレベルを使用して計算された飲酒開始時刻から、所定のキャリブレーションポイントまでの時間に基づいて、ユーザから呼気標本を取得するサンプル（採取）時間を測定する。
プロセッサは、基準値を提供するサンプル（採取）時間に、ユーザから提供された呼気標本に基づいて酒気検知器によって得られたＢＡＣ％測定値を取得する。
メモリは、基準値を記憶（蓄積）する。
プロセッサは、ユーザによって入力されるべき基準値を酒気検知器のディスプレイ上に表示し、酒気検知器に記憶（蓄積）され、酒気検知器によってＢＡＣ％の測定結果を提供するために使用される計測データ（キャリブレーションデータ）を提供する。
【００２１】
本件に係る発明の例示的な実施形態では、前記装置のプロセッサは、酒気検知器に呼気標本（サンプル）を提供するため、サンプル（採取）時間の前の所定の時刻にディスプレイ上のアラームまたはメッセージによって、ユーザ（被検体）に警告を発する。
【００２２】
本件に係る発明の例示的な実施形態では、前記装置のプロセッサは、入力装置を使用してユーザがアルコールの種類の選択をするリストをディスプレイ上に提供するとともに、メモリはユーザの選択を記憶（蓄積）する。
【００２３】
本件に係る発明の例示的な実施形態では、前記装置のプロセッサは、アルコール摂取後のユーザの循環系に存在するアルコールの所定の時間のずれにより、サンプル（採取）時間を修正する。
【００２４】
本件に係る発明の例示的な実施形態では、前記装置のプロセッサは、所定の時間の最大のアルコールレベル及びユーザの呼気標本のＢＡＣ％測定値に基づいてユーザ（被検体）の代謝速度を決定する。
【００２５】
本件に係る発明の例示的な実施形態では、装置のプロセッサは、ユーザ（被検体）の代謝速度の測定のために、統計的に十分満足できる数の測定値が得られるまで、所定の間隔で酒気検知器に呼気標本を提供するように、ディスプレイ上にアラームまたはメッセージでユーザ（被検体）に警告を発する。
【００２６】
本件に係る発明の例示的な実施形態では、前記装置は、パーソナルデジタル装置（電子情報端末）、スマートフォン、タブレット、ラップトップ、パソコン、ＧＰＳナビゲーションシステムか、その他これらと同程度の電子装置のようなプロセッサに基づいた（装備した）装置のいずれかの１つである。
【００２７】
本件に係る発明の例示的な実施形態では、一時的でない（持続性ある）コンピュータに読取可能な記憶媒体が、酒気検知器をユーザの身体をシミュレータとして使用して計測するためにコンピュータ実行可能コードを構成する。
コードは、処理装置に基づく（備えた）装置への指示からなり：
（１）ユーザ（被検体）の代謝速度に関する情報、ユーザ（被検体）が摂取したアルコールの摂取量とその種類、および飲酒開始時刻の取得
（２）処理装置に基づいた（備えた）装置による、ユーザ（被検体）が摂取したアルコールの摂取量と、その種類から、最大アルコール値（レベル）の決定（検出）；
（３）ユーザ（被検体）の代謝速度と最大アルコール値（レベル）を使用し、処理装置に基づいた（備えた）装置により、飲酒開始時刻からに基準キャリブレーションポイントまでの時間を計算し、これに基づいた、ユーザ（被検体）から呼気標本を採取するサンプル（採取）時間の決定（検出）；
（４）標点（基準点）を提供するサンプル（採取）時間にユーザによって提供される呼気標本に基づいた酒気検知器によって得られたＢＡＣ％測定値の取得；
（５）最初の飲酒検知器の計測のための基準点のオリジナル基準点としての記憶（蓄積）、および、次回の飲酒検知器の計測のための新たな基準点の記憶（蓄積）；また、
（６）ユーザ（被検体）によって計測データ（キャリブレーションデータ）として酒気検知器に入力される基準値の表示。該計測データ（キャリブレーションデータ）は酒気検知器に記憶（蓄積）され、ユーザへＢＡＣ％値を提供するために酒気検知器によって使用される。
【００２８】
本件に係る発明の例示的な実施形態では、前記コードは、さらに、酒気検知器に呼気標本（サンプル）を提供するため、サンプル（採取）時間の前の所定の時刻に、プロセッサを備えた（基づいた）装置のディスプレイ上のアラームまたはメッセージによってユーザ(被検体)に警告を発する指示からなる。
【００２９】
本件に係る発明の例示的な実施形態では、前記コードは、さらに、ユーザがプロセッサを装備した（基づいた）装置のディスプレイ上でアルコールの種類を選択するリストを提供し、ユーザの選択を記憶（蓄積）する指示からなる。
【００３０】
本件に係る発明の例示的な実施形態では、前記コードは、さらに、所定の期間の最大のアルコールレベル及びユーザの呼気標本の一連のＢＡＣ％測定値に基づいてユーザ（被検体）の代謝速度を決定するための指示からなる。
【００３１】
本件に係る発明の例示的な実施形態では、前記コードは、さらに、ユーザ（被検体）の代謝速度の測定のために、統計的に十分満足できる数の測定値が得られるまで、所定の間隔で酒気検知器に呼気標本を提供するように、プロセッサを装備した（基づいた）装置のディスプレイ上にアラームまたはメッセージでユーザ（被検体）に警告を発するための指示からなる。
【００３２】
従来の再整備（再検査）システムと手続には、複数のトランザクション、および/または、数個の構成要素間の通信とが含まれる。
一般的には（通常は）、エンドユーザ（酒気検知器の一般的な購入者、所有者あるいはオペレータ操作者・使用者）は、酒気検知器に再整備（再検査）が必要であること報告するために酒気検知器を購入した販売店に連絡をとる。
現在、酒気検知器の販売店の大多数は、自身で再整備（再検査）を行なうことができないので、販売店は、エンドユーザから再整備（再検査）を必要とする酒気検知器を受け取り、酒気検知器サービスセンタへまとめて搬送するか、または、再整備（再検査）を必要とする酒気検知器をサービスセンタに直接搬送するように販売店がエンドユーザに指示する。
サービスセンタが再整備（再検査）を必要とする酒気検知器を受け取った場合、受領記録、搬送記録、消費者および販売店（業者）に関する詳細な情報は、再整備（再検査）する酒気検知器の搬送・処理におけるエラーを最小限に抑えるために保存しなければならない。
さらに、発生する可能性のあるいくつかの問題は、複数の特定の状況が発生していないエンドユーザの複数の関係者が含まれるという問題があり、解決が複雑となる（例えば、一台の再整備（再検査）には、販売店も卸業者もサービスセンタもエンドユーザも関わる可能性がある）。
複数の通信、取引、記録管理、処理、および搬送は、各々の再整備（再検査）、遅延やコストの着実な増加と関連しており、他の問題は、酒気検知器業界では再整備（再検査）は回避することができず、定期的に必要であると考えられる。
【００３３】
本発明の様々な他の目的、利点および特徴は、以下の詳細な説明から容易に明白となり、新規な特徴については、特に、添付の特許請求の範囲に示す。
【００３４】
以下に詳述する実施例は、本発明を限定するものではなく、最良の添付図面と併せて理解される。
【図面の簡単な説明】
【００３５】
【図１】本件に係る発明の例示的な実施例に基づく酒気計測検知器のダイアグラム図。
【００３６】
【図２】本件に係る発明の例示的な実施例に基づく、酒気検知器のアルコールセンサおよび不揮発性メモリの主要な電気回路を示すダイアグラム図。
【００３７】
【図３】請求項に係る発明の典型的な実施例に基づく、標準の酒気検知器の計測のための計測装置のダイアグラム図。
【００３８】
【図４】本件に係る発明の例示的な実施例に基づく、酒気計測検知器の組み込まれた酒気検知器であるプロセッサに基づいた（装備した）装置のダイアグラム図。
【００３９】
【図５】本件に係る発明の典型的な実施例に基づく、ウェブベースの計測装置を組込むコミュニケーションネットワークのダイアグラム図。
【発明を実施するための形態】
【００４０】
呼気アルコール検知装置は、一般に「breathalyser＝酒気検知（測定）器」あるいは「breathalyzer＝酒気検知器」(以下にbreathalyzer＝酒気検知器)と呼ばれ、携帯型（PBTあるいは呼気テスタ)、固定型(硬貨投入式の酒気検知器または同等機器)、自動車エンジンに固定された呼気アルコールテスタを含むものであり、また、携帯電話、タブレット、ラップトップ、携帯情報端末、ＧＰＳナビゲーション装置などのような他の電子機器に装備されたアルコール試験装置またはこれらを備えたものからなる。
【００４１】
図１に移ると、本件に係る発明の例示的な実施形態では、酒気検知器の処理装置、マイクロコントローラ、マイクロプロセッサ（超小型演算装置）、処理装置あるいは信号処理ユニット１００（総称して「処理装置」または「処理ユニット」と称する）は、アルコールセンサ２００、加熱装置２１０および不揮発性メモリ２２０に接続される。
図２に示すように、アルコールセンサ２００のセンサー電気回路１１、加熱装置２１０の加熱電気回路１３および不揮発性メモリ２２０のメモリ回路１５は、プリント回路板(ＰＣＢ)６０の上に位置し、また処理ユニット１００のＣＰＵ回路30に接続されている。
不揮発性メモリユニット２２０は、ＥＥＰＲＯＭ、フラッシュドライブ、ＮＡＮＤ、または、アルコールセンサ２００の工場出荷時の最初の計測データを記憶（蓄積）した同種のものとすることが出来る。
アルコールセンサ２００のセンサー電気回路１１は、アルコール濃度のレベルを変えることによる伝導性の変化を検知するように操作することが出来る。
加熱装置２１０は、事前に決定した温度へのアルコールセンサ２００を温めるように操作することが出来る。
不揮発性メモリユニット２２０は、酒気検知器１０００を再整備（検査）するための酒気検知器の処理装置または処理ユニット１００よって使用される工場出荷時の最初の計測データを記憶（蓄積）する。
メモリ回路１５は、不揮発性メモリ部２２０から計測データが失われることを防ぐために“書込禁止”を意味する“Ｗ／Ｐ”のラベル付けられたピン７のような様々なピンを備えることが出来る。
【００４２】
センサー回路１１は、アルコールセンサ２００の近隣あるいは近くの空気中にどれだけのアルコールがあるかによって変化する可変抵抗器で構成されている。
多くのアルコールは空気（気体）の中に存在し、抵抗は低い。（アルコールは空（気体）中にありアルコールが多いほど抵抗は少なくなる。）
すなわち、酒気検知器１０００は、抵抗を測定することにより呼気中のアルコールを測定する。
抵抗を測定するのに替えて、呼気アルコールセンサ２００は、センサー回路１１とロード抵抗器R1との間の電圧レベルを測定する。
センサー回路１１と負荷抵抗器は、基本的に電圧の分離機（分圧器）を形成することになり、センサー回路１１の抵抗が低くなると、センサー電圧の測定値が高くなる。
一般的に呼気と血中アルコール濃度は２１００倍異なることが知られている。
すなわち、呼気中のアルコールの毎１mgに相当する血中のアルコールは2100mgとなる。
すなわち、ＢＡＣ％（血中アルコール含有量または濃度率）は、呼気mg/L*0.21に相当する。
従って、不揮発性メモリ２２０は、追加的に、センサ電圧測定値と、いくつかの既定のＢＡＣ％と、呼気mg / Lの抵抗測定値と、を記憶（蓄積）する。
【００４３】
図２に戻ると、本件に係る発明の例示的な実施形態によれば、飲酒検知器の処理装置または処理ユニット１００は、例えば不揮発性メモリ２２０からの計測データを取得するために、ピン３を介してセンサー回路１１と連絡（交信）があり、また、ピン４と５を介してメモリ回路１５とも連絡（交信）している。
【００４４】
通常、ユーザ（利用者）は、仕事（例えば、警察官が飲酒検査のためにそれを使用する）、臨床試験、個人的な使用などのために飲酒検知器１０００を購入する。
数多く反復使用された後、酒気検知器にはアルコールセンサ２００の構成要素の１つまたは複数に電気的ドリフト（偽出力）が発生するため、及び／又は、ここで議論されている問題のために再整備（検査）が必要となる。
通常、酒気検知器１０００は、２００２０００回（ここで詳述するようにアルコールセンサの型やその他の要因によって大きく異なる）の使用後に再整備（検査）が必要となる。
前述とは別に、酒気検知器のアルコールセンサ２００や処理装置１００は、定期的に、或いは、アルコールセンサ２００が再整備（再検査）を必要と判断した場合に、オペレータからの要請に応じて（例えば、ボタン３１０を押す、または、飲酒検知器のハウジングのピンホール３１０を使用する）テストを施行することができる。
調査(検査)は、酒気検知器１０００に再整備（再検査）が必要かどうかを判断するために行なわれる。
調査(検査)に対し、答えが否定的である場合は、酒気検知器１０００は、ＢＡＣ％の算出または０測定に使用することができる。
しかしながら、調査（検査）の答えが肯定な場合は、使用者は酒気検知器１０００の再整備（再検査）を開始する。
別な方法として、使用者は、酒気検知器１０００のＬＥＤまたはＬＣＤディスプレイ３００上のアラームまたはメッセージによって、酒気検知器１０００に再整備（再検査）が必要であることの警告を受け、それにより、使用者は、酒気検知器１０００のハウジング上のボタンを押すか、酒気検知器１０００のＬＥＤまたはＬＣＤディスプレイ３００のメッセージによって促されて再整備（再検査）するに「はい（ＹＥＳ）」を入力することにより、再測定を開始することができる。
【００４５】
請求項に係る発明の典型的な実施形態では、本件に係る発明の例示的な実施形態では、使用者が再整備（再検査）を開始する場合、酒気検知器１０００はキャリブレーション（測定）モードとなる。
キャリブレーション（測定）モードにおいて、プロセッサまたは処理装置１００は、不揮発性メモリ２２０からアルコールセンサ２００の工場出荷時の最初の計測データを読み込む。
工場出荷時の最初の計測データは、１つまたは複数の所定のＢＡＣ％、と、対応するセンサーの電圧測定値および抵抗測定値とを含む。
各所定のＢＡＣ％の場合は、酒気検知器１０００は、記憶された対応するセンサー電圧をかけてから抵抗を測定する。
測定した抵抗が、１つまたは複数の所定のＢＡＣ％の記憶されている抵抗測定値と異なる場合は、プロセッサ／処理装置１００は、ＢＡＣ％と抵抗とセンサ電圧との間の対応関係または相関関係を整合させることにより、酒気検知器１０００の再整備（再検査）を行う。
さらに、プロセッサ／処理装置１００は、測定された抵抗値で不揮発性メモリ２２０に記憶されていた抵抗測定を変更する。
別の方法として、各所定のＢＡＣ％について、酒気検知器１０００は、対応する記憶されていた抵抗にしてから、センサー電圧を測定する。
センサー電圧の測定値が、１つまたは複数の所定のＢＡＣ％に記憶されたセンサー電圧測定値と異なる場合、プロセッサ／処理装置１００は、ＢＡＣ％と抵抗とセンサ電圧との間の対応関係または相関関係を整合させることにより、酒気検知器１０００を再整備（再検査）する。
さらに、プロセッサー／処理装置１００は、測定されたセンサー電圧値で不揮発性メモリ２２０に記憶されていたセンサー電圧測定値を変更する。
【００４６】
本件に係る発明の例示的な実施形態では、酒気計測検知器１０００は、ＢＡＣ％と抵抗とセンサー電圧との相関関係の変化を認定する。
呼気アルコール濃度センサの測定値は、その後ＢＡＣ％と抵抗とセンサー電圧との相互関係の変化を解明（説明）するために再検査される。
【００４７】
本件に係る発明の例示的な実施形態では、測定する酒気検知器１０００を、何ら特別な方法でなく（例えば、標準のアルコール溶液や乾性ガスのいずれかを備えたシミュレータ）あるいは第三者のサービスの利用を要求することなく、エンドユーザは酒気計測検知器１０００を再整備（再検査）させることができる。
本発明に係る酒気計測検知器１０００は、基本的に、身体をシミュレータとして利用し、アルコール（例えばＢＡＣ％）を所定量摂取した後のオペレーターの呼気エアを、標準アルコール溶液または乾性ガスとし、それにより、現行の非効率で高価な計測工程（プロセス）を排斥するものである。
１杯のアルコールを飲むとすぐに、アルコールは循環系を通って身体に移動する。
身体がアルコールを代謝し始めると、身体中のアルコール濃度はユーザの代謝速度に基づき、アルコール濃度は時間の経過とともに徐々に減少する。
プロセッサ１００は、アルコールの摂取後（以下、「消散時間」）どのくらいの時間がかかるかを予測または認定（測定）するもので、ユーザ（被検体）の呼気には、ユーザ（被検体）の代謝速度に基づいた所定のＢＡＣ％がおおよそ１つ含まれている。
必要とされる計測ポイントは、すでに工場出荷時にあらかじめ定められているが、また、独自の計測（セルフキャリブレーション）プロセスを開始する前に、ユーザによって設定することもできるので、好都合である。
本発明に係る酒気検知器１０００は、１つまたはそれ以上の計測値あるいはポイント（例えば０．００５ＢＡＣ％、０．０１ＢＡＣ％など）を使用することができる。
すなわち、本件に係る発明は、アルコールを所定量（またはレベル）摂取した後に、所定の計測点に達するのに必要となる期間の記録および／または計測に、希望によりエンドユーザ（使用者かつ被検体）またはオペレータの身体をシミュレータまたはシリンダ（試験管）として利用して行われる。
【００４８】
本件に係る発明の例示的な実施形態では、ユーザによって摂取されたアルコールの種類と量と時間に関する情報を取得した後、プロセッサ１００は、タイマーをゼロにセットし、タイマーが消散時間に近づいた時に、呼気標本を提供するようにユーザに警報を発する。
プロセッサ１００は、不揮発性メモリ２２０に基準値または測定データとして測定されたＢＡＣ％を記憶（蓄積）し、記憶（蓄積）された基準点かまたは測定データを使用して、線形計算に基づいて、通常のオペレーションモード中にＢＡＣ％の測定値を提供する。
ＢＡＣ％の計算の詳細は、「Ｃｏｍｐｕｔｉｎｇ ｏｆ ＢＡＣ Ｅｓｔｉｍａｔｅ,」というタイトルで、１９９４年１０月にＤＯＲ／ＮＨＴＳＡによって発行された文書に記載されており、その全体が本明細書に併合されている。
プロセッサ１００は、このプロセスと他の所定のＢＡＣ％あるいは計測ポイントのプロセスを繰り返す。
例えば、２点の所定の計測点がある場合、プロセッサ１００は、最初の計測点のための消散時間１、およびユーザの代謝速度に基づいた第２の計測点のための消散時間２を測定する。
プロセッサ１００は、タイマーをゼロにセットし、タイマーが消散時間１に近づいたときに第１の呼気サンプル、また、タイマーが消散時間２に近づいたときに第２の呼気サンプルを提供するようにユーザに警報を発する。
プロセッサ１００は、不揮発性メモリ２２０に基準点としてこれらの２つの消散時間で測定されたＢＡＣ％を記憶（蓄積）し、記憶（蓄積）された基準点を使用して、線形計算に基づいて、通常のオペレーションモード中にＢＡＣ％測定値を提供する。
計測の最大ＢＡＣ％が、基準点の最高点を超えることが好都合である。
【００４９】
通常、ユーザ（利用者）は、仕事（例えば、警察官が飲酒検査のためにそれを使用する）、臨床試験、個人的な使用などに飲酒検知器を購入する。
数多く反復使用された後、酒気検知器は、ここで議論されているように再整備（再検査）が必要となる。
標準の酒気検知器は、再整備（再検査）を必要とする場合、ユーザは小売店と連絡をとり、小売店はユーザに適切なサービスセンタを指示する。
そして、ユーザは、再整備（再検査）のためにサービスセンターへ標準の酒気検知器を送る。
標準の酒気検知器を受領すると、サービスセンタは、例えば、シュミレーションシステムを使用する標準の酒気検知機を検査し、そして、ユーザに再整備（再検査）された酒気検知器を返送し、それにより、ユーザは、算出またはＢＡＣ％の測定をするために標準酒気検知器が使用可能となる。
【００５０】
本件に係る発明の例示的な実施形態では、アルコールを所定の量および／またはレベルを摂取した後、請求項に係る酒気検知器１０００の計測を始めるために、ユーザはキャリブレーション（測定）モードによって請求項に係る酒気検知器１０００を操作することができる。
キャリブレーション（測定）モードにおいて、プロセッサ１００は、ユーザから取得した情報に基づきユーザの身体をシミュレータとして利用して、酒気検知器１０００を独自に計測する。
アルコールを摂取した後に、ユーザは、例えば、１本１２オンスのボトルあるいは缶ビール（５％アルコール容量）、１杯の５オンスのグラスワイン（１２％アルコール容量）、１杯１．５オンスのハードリカーショット（４０％アルコール容量）等、摂取されたアルコールのタイプおよび量をボタンまたはピンホール３１０を使用して、酒気検知器１００に入力する。
好ましくは、ユーザは、ボタン／ピンホール３１０を使用して、ディスプレイ３００上のリストから摂取されたアルコールのタイプを選択（例えば、１２オンスの缶ビール２つ）し、また、どれくらい前か（すなわち、アルコールの摂取と酒気検知器１０００への当該情報の入力までの間の経過時間）を入力する。
すなわち、プロセッサ１００は、ディスプレイ３００上にアルコールの種類のリストを表示し、また、ユーザは、ボタン／ピンホール３１０を使用して摂取されたアルコールの種類を選択する。
プロセッサ１００は、不揮発性メモリ２２０にユーザの選択を記憶（蓄積）する。また、ユーザに、ユーザによって摂取され、選択されたアルコールの数、量あるいは総数をディスプレイ３００上に入力することを要求し、それらも不揮発性メモリ２２０に記憶（蓄積）される。
さらに、ユーザは、飲み始めた時にボタン３１０を使用して、酒気検知器１０００へ選択したアルコールあるいは飲酒開始時刻を入力する。
本件に係る発明の例示的な実施形態では、プロセッサ１００は、数分で飲む時間の合計を測定する。
アルコールを摂取後、ユーザの血液中を循環するまでに時間がかかるので、この時間のずれ（一般的に約５―１０分）は、開始時刻を修正するために使用される。
プロセッサは、計測点の経過時間を測定／算出する際に、修正した開始時刻でタイマーのゼロを設定する。
【００５１】
本件に係る発明の例示的な実施形態では、好ましくは、プロセッサ１００は、酒気検知器１０００が初めて使用される前に、ユーザ(被検体)の代謝速度を計算または取得し、不揮発性メモリ２２０に記憶（蓄積）する。
アルコールを摂取した後に、ユーザは、例えば、１本１２オンスのボトルあるいは缶ビール（５％アルコール容量）、１杯の５オンスのグラスワイン（１２％アルコール容量）、１杯１．５オンスのハードリカーショット（４０％アルコール容量）等、摂取されたアルコールのタイプおよび量をボタンまたはピンホール３１０を使用して、酒気検知器１００に入力する。
好ましくは、ユーザは、ボタン／ピンホール３１０を使用して、ディスプレイ３００上のリストから摂取されたアルコールのタイプを選択（例えば、１２オンスの缶ビール２つ）する。
すなわち、プロセッサ１００は、ディスプレイ３００上にアルコールの種類のリストを表示し、また、ユーザは、ボタン／ピンホール３１０を使用して摂取されたアルコールの種類を選択する。
プロセッサ１００は、不揮発性メモリ２２０にユーザの選択を記憶（蓄積）する。また、ユーザに、ユーザによって摂取され、選択されたアルコールの数、量あるいは総数をディスプレイ３００上に入力することを要求し、それらも不揮発性メモリ２２０に記憶（蓄積）される。
身体がアルコールを代謝し始めると、身体中のアルコール濃度はユーザの代謝速度に基づき、アルコール濃度は時間の経過とともに徐々に減少する。
プロセッサ１００は、ユーザに摂取されたアルコールの種類および量（例えば、２つの１２オンスの缶ビールまたはハードリカーショット１．５オンス）からの最大のアルコールレベルを測定することができる。
アルコール摂取量についてユーザの入力を取得した後、プロセッサ１００は定期的に（例えば、５分あるいは１０分ごとに）、測定に十分な数が得られるまで呼気標本を提供することをユーザに要求する。
ＢＡＣ％測定の範囲が、ユーザの代謝速度を測定するのに統計的に有意義であるべきことは好ましいことである。
プロセッサ１００は、最大のアルコールレベルおよびＢＡＣ％測定に基づいてユーザの代謝速度を測定することができる。
すなわち、ユーザのＢＡＣ％測定（つまりユーザの血液中のアルコールパーセント）の減少が、ユーザの代謝速度と関連するので、プロセッサ１００は、ユーザの血液アルコールパーセントやＢＡＣ％の測定値の変化および／または変化率から代謝速度を時間とともに（時間との関係で）測定することができる。
プロセッサ１００は、ユーザの体重、性別、飲酒の頻度と個人的な差異に基づいて、ユーザの代謝速度を測定するために、他の既知の方法を使用することができるということは好都合である。
【００５２】
ＢＡＣ％の測定または算出のために、飲酒検知器１００を数多く反復使用後、本明細書で述べたように、飲酒検知器１０００は、一般的に再整備（再検査）することが必要となる。
通常、酒気検知器１０００は、１００から３０００回（本明細書に述べた各要因による）使用された後、再整備（再検査）が必要となる。
また、飲酒検知器１０００のアルコールセンサ２００または処理装置１００は、アルコールセンサ２００の再整備（再検査）が必要かどうかを判断するために定期的にまたはオペレータからの要求（すなわち、飲酒検知器１０００のハウジング上のボタンを押して）に応じてテストを実行することができる。
ユーザは、キャリブレーション（測定）モードで酒気検知器１０００を操作して独自計測を始めることができる。
上述したように、アルコールを摂取した後、ユーザは、酒気検知器１００へボタン３１０を使用して、摂取されたアルコール（例えば、５オンスのグラスワイン２杯、１．５オンスのハードリカーショット１杯）の種類および量を入力する。
好ましくは、ユーザは、ボタン３１０を使用して、ディスプレイ３００上のリストから摂取されたアルコールのタイプを選択（例えば、１２オンスの缶ビール２つ）し、また、どれくらい前か（すなわち、アルコールの摂取と酒気検知器１０００への当該情報の入力までの間の経過時間）を入力する。
すなわち、プロセッサ１００は、ディスプレイ３００上にアルコールの種類のリストを表示し、また、ユーザは、ボタン３１０を使用して摂取されたアルコールの種類を選択する。
プロセッサ１００は、不揮発性メモリ２２０にユーザの選択を記憶（蓄積）する。また、ユーザに、ユーザによって摂取され、選択されたアルコールの数、量あるいは総数をディスプレイ３００上に入力することを要求し、それらも不揮発性メモリ２２０に記憶（蓄積）される。
さらに、ユーザは、飲み始めた時にボタン３１０を使用して、酒気検知器１０００へ選択したアルコールあるいは飲酒開始時刻を入力する。
プロセッサ１００は、計測点の経過時間を測定／算出する際に、修正された開始時刻を使用してタイマーのゼロを設定する。
【００５３】
身体がアルコールを代謝し始めると、身体中のアルコール濃度はユーザの代謝速度に基づき、アルコール濃度は時間の経過とともに徐々に減少する。
摂取されたアルコールに関するユーザから取得した情報に基づいて、プロセッサ１００は、最大のアルコールレベルを決定することができる。
摂取されたアルコールに関し、ユーザの記憶（蓄積）した代謝速度とユーザから取得した情報に基づいて、プロセッサ１００は、ユーザの呼気が計測点あるいは所定のＢＡＣ％のうちの１つを含む前に、消散（経過）時間を計測することができる。
請求項に係る酒気検知器１０００は、１つまたはそれ以上の計測点（例えば０．００５ＢＡＣ％、０．０１ＢＡＣ％など）を使用することができる。
【００５４】
本件に係る発明の例示的な実施形態では、ユーザによって摂取されたアルコールの種類と量と時間に関する情報を取得した後、プロセッサ１００は、タイマーをゼロにセットし、タイマーが消散時間に近づいた時に、呼気標本を提供するようにユーザに警報を発する。
プロセッサ１００は、不揮発性メモリ２２０に基準点または測定データとして測定されたＢＡＣ％を記憶（蓄積）し、記憶（蓄積）された基準点かまたは測定データを使用して、線形計算に基づいて、通常のオペレーションモード中にＢＡＣ％の測定値を提供し、不揮発性メモリ２２０に記憶（蓄積）する。
この実施例では、１点の計測点が使用されているが、それ以上の計測点を複数の新たな基準点として確保して利用できれば好都合である。
プロセッサ１００は、新しいオリジナルの基準点を使用して、線形計算に基づいて、通常オペレーションモードでＢＡＣ％測定を提供する。
【００５５】
図３に戻って、本件に係る発明の例示的な実施形態では、シミュレータとして、ユーザの身体を使用して、標準酒気検知器６００を計測るための装置５００は、入力装置５１０、プロセッサ５２０、メモリ５３０、ディスプレイ５４０で構成されている。
計測装置５００は、携帯情報端末（電子手帳）、スマートフォン、タブレット、ラップトップ、パソコン、ＧＰＳナビゲーション装置、デジタルカメラのようなプロセッサを装備した（に基づいた）装置であることが好都合である。
キーボード、タッチパッド、マウス、ボタンなどのような入力装置５１０は、ユーザの代謝速度に関する情報、ユーザによって摂取されたアルコールの種類および量、および飲酒開始時間を取得する。
好ましくは、装置５００のプロセッサ５２０は、入力装置５１０を使用して、ユーザがアルコールの種類の選択をするリストをディスプレイ５４０上に提供するとともに、メモリ５３０は、ユーザの選択を記憶（蓄積）する。
プロセッサ５２０は、ユーザのアルコール摂取量と種類から最大アルコールレベルを測定する。
プロセッサ５２０は、また、ユーザの代謝速度と最大のアルコールレベルを使用して算出された飲酒開始時間から所定の計測点までの時間に基づいて酒気検知器６００が呼気サンプルをユーザから取得するためのサンプル（採取）時間を決定する。
好ましくは、プロセッサ５２０は、ユーザのアルコール摂取後にユーザの循環系に存在するアルコールが所定の時間のずれ（例えば５―１０分）るので、サンプル（採取）時間の修正をする。
プロセッサ５２０は、標点（基準点）を提供するために、サンプル（採取）時に、ユーザによって提供される呼気標本に基づいて、酒気検知器６００によって得られたＢＡＣ％の測定値を取得する。
好ましくは、プロセッサ５２０は、酒気検知器６００に、呼気標本（サンプル）を提供するため、サンプル（採取）時間の前の所定の時刻にディスプレイ５４０上のアラームまたはメッセージによって、ユーザ（被検体）に警告を発する。
メモリ５３０は、酒気検知器６００によって計測データとして使用するために標点（基準点）を記憶（蓄積）する。
ディスプレイ５４０は、ユーザによって酒気検知器６００に入力されるべき基準ポイントを表示し、酒気検知器６００に記憶（蓄積）され、酒気検知器６００によって呼気標本のＢＡＣ％測定値を提供するために使用される計測データ（キャリブレーションデータ）を提供する。
【００５６】
本件に係る発明の例示的な実施形態では、装置５００のプロセッサ５２０は、１つ以上の所定のＢＡＣ％測定値あるいは計測ポイントが到達するまでの所定の期間（例えば１−３時間）の最大のアルコールレベル及びユーザの呼気標本のＢＡＣ％測定値に基づいて、酒気検知器６００によりユーザ（被検体）の代謝速度を決定することができる。
ユーザ（被検体）の代謝速度の測定のために、統計的に十分満足できる数の測定値が得られるまで、プロセッサ５２０は、所定間隔で酒気検知器６００に呼気標本を提供するように、ディスプレイ５４０上のアラームあるいはメッセージでユーザ（被検体）に警告を発する。
【００５７】
本件に係る発明の例示的な実施形態では、ＤＶＤ、ＣＤ、メモリースティック、ＵＳＢドライブおよび他の既知の記憶装置のような一時的でない（持続性ある）コンピュータに読取可能な記憶媒体が、酒気検知器６００をユーザの身体をシミュレータとして使用して計測するためにコンピュータ実行可能コードを構成する。
コードは、処理装置５００に基づく（備えた）装置への指示からなり：
（１）ユーザ（被検体）の代謝速度に関する情報、ユーザ（被検体）が摂取したアルコールの摂取量とその種類、および飲酒開始時刻を取得し、
（２）処理装置に基づいた（備えた）装置５００による、ユーザ（被検体）が摂取したアルコールの摂取量と、その種類から、最大アルコール値（レベル）を決定（検出）し、
（３）ユーザ（被検体）の代謝速度と最大アルコール値（レベル）を使用し、処理装置に基づいた（備えた）装置５００により、飲酒開始時刻からに基準キャリブレーションポイントまでの時間を計算し、これに基づいた、ユーザ（被検体）から酒気検知器６００によって呼気標本を採取するサンプル（採取）時間を決定（検出）し、
（４）標点（基準点）を提供するサンプル（採取）時間にユーザによって提供される呼気標本に基づいた酒気検知器６００によって得られたＢＡＣ％測定値を取得し、
（５）標点（基準値／ポイント）を記憶（蓄積）し、また、
（６）ユーザ（被検体）によって計測データ（キャリブレーションデータ）として酒気検知器６００に入力される基準値を表示する。
該計測データ（キャリブレーションデータ）は酒気検知器６００に記憶（蓄積）され、呼気標本のＢＡＣ％値を提供するために酒気検知器６００によって使用される。
【００５８】
本件に係る発明の例示的な実施形態では、コンピュータ実行可能コードは、図５に示すようにプロバイダのウェブサイトまたはウェブサーバ８００から通信ネットワークかインターネットを介してダウンロードすることができるか、又は、コンピュータに読取可能な記憶媒体からプロセッサを装備した（に基づいた）装置５００へ、ユーザ（被検体）またはオペレータの身体をシミュレータとして利用して標準の酒気検知器６００で計測するためにインストールすることができる。
処理装置に基づく（備えた）装置５００は、携帯情報端末（電子手帳）、携帯電話、スマートフォン、タブレット、ラップトップ、パソコン、ＧＰＳナビゲーション装置、デジタルカメラあるいは他の同等な装置でもよい。
【００５９】
本件に係る発明の例示的な実施形態では、図１〜３で示したように、アルコールのテストユニット７００は、少なくとも、アルコールセンサ２００、と、複数の孔と出入力ポート７２０を備えたセンサカバー７１０とからなる。
さらに、アルコールのテストユニット７００は、１つまたはそれ以上のボタン／ピンホール３１０および／または加熱装置２１０からなる。アルコールのテストユニット７００は、出入力ポート７２０によって処理装置に基づく（備えた）装置５００と交信する。
出入力ポート７２０は、ユニバーサル・シリアル・バス（ＵＳＢ）コネクタ７２０のようなごく標準的なコンピュータ・インタフェースとすることもがきるので好都合である。図示してないが、アルコールのテストユニット７００は、さらにＷｉ−Ｆｉ、Ｗｉ−Ｍａｘ、Ｂｌｕｅｔｏｏｔｈ（登録商標）などのワイヤレスネットワークを介した処理装置を備えた装置５００と無線で交信するためのコミュニケーションユニット７３０からなるものとすることが出来る。
ユーザ（被検体）は、センサーカバ７１０を介して、もしくは、センサーカバ７１０の後ろに配置したアルコールセンサ２００上に吹き付けることによって、アルコールのテストユニット７００に呼気標本を提供する。
アルコールセンサ２００は、アルコールのテストユニット７００内の適宜な別の位置に配置することができ、また、ユーザの呼気標本は、別付けのオプショナルエアチューブ（図示せず）を介してアルコールセンサ２００に直結することができる。
アルコールセンサ２００は、プロバイダのウェブサイト／ウェブサーバ８００からプロセッサを装備した装置５００にダウンロードすることができるか、又は、一時的でない（持続性ある）コンピュータに読取可能な記憶媒体からダウンロードすることができる、酒気検知アプリケーション／プログラムを起動操作するプロセッサを装備した装置５００にＢＡＣ％の測定を提供する。
すなわち、本件に係る発明は、どのようなプロセッサを装備した装置５００でも、アルコールのテストユニット７００または、酒気検知器アプリケーション／プログラムを利用する酒気検知器に変換することができる。
外部のアルコールのテストユニット７００は、本明細書で述べたように、ユーザの身体をシミュレータとして使った再調整（再検査）をすることができる。
【００６０】
本件に係る発明の例示的な実施形態では、プロセッサを装備した（基づいた）装置５００は、内部組込式または内蔵式のアルコールテストユニット７００からなり、それにより、プロセッサを装備した装置５００に外部のアルコールのテストユニット７００を接続（例えば無線また有線接続を介して）する必要を排除している。
プロセッサを装備した（基づいた）装置５００は、酒気検知器、携帯電話、タブレット、ＧＰＳナビゲーションシステム、ラップトップ、ＰＣ、デジタルカメラ、携帯情報端末（電子手帳）などとしても利用することができる。
図１，２および４に示すように、ユーザ（被検体）は、センサーカバ７１０を介して、もしくは、センサーカバ７１０の後ろに配置したアルコールセンサ２００上への吹き付けによって、プロセッサを装備した装置５００に呼気標本を提供する。
アルコールセンサ２００は、アルコールのテストユニット７００内の適宜な別の位置に配置することができ、また、ユーザの呼気標本は、別付けのオプショナルエアチューブ（図示せず）を介してアルコールセンサ２００に直結することができるので好都合である。
内部組込式または内蔵式のアルコールテストユニット７００は、本明細書で述べたように、ユーザ（被検体）の身体をシミュレータとして使って再調整（検査）計測することができる。
【００６１】
本件に係る発明の例示的な実施形態では、ラップトップ、タブレット、携帯電話あるいはスマートフォン、携帯情報端末（電子手帳）のようなＷｅｂ対応のクライアント装置５００を使用して、酒気検知器を整備（検査）するために、ユーザ（被検体）は、プロバイダのウェブサイトまたはウェブサーバ８００から計測アプリケーションにアクセスしこれを利用することができる。
計測（キャリブレーション）アプリケーションを起動した後に、Ｗｅｂ対応のクライアント装置５００を使用して、ユーザは、ユーザ（被検体）の代謝速度に関する情報、ユーザによって摂取されたアルコールの種類および量、および飲酒開始時間を入力する。
好ましくは、ウェブサーバ８００は、Ｗｅｂ対応のクライアント装置５００の入力装置５１０を使用してユーザが選択できるように、ディスプレイ５４０の上に表示するために、Ｗｅｂ対応のクライアント装置５００にアルコールの種類リストを提供する。
ユーザの選択は、Ｗｅｂ対応のクライアント装置および／またはウェブサーバ８００のメモリに記憶（蓄積）することができる。Ｗｅｂ対応のクライアント装置５００は、入力された情報をインターネットによりウェブサーバ８００へ送信する。
【００６２】
ウェブサーバ８００は、ユーザ（被検体）のアルコール摂取量と種類から最大のアルコールレベルを測定する。
ウェブサーバ８００は、また、ユーザの代謝速度と最大のアルコールレベルを使用して算出された飲酒開始時間から所定の計測点までの時間に基づいて酒気検知器６００が呼気サンプルをユーザから取得するためのサンプル（採取）時間を決定する。
好ましくは、ウェブサーバ８００は、ユーザのアルコール摂取後にユーザの循環系に存在するアルコールが所定の時間のずれ（例えば５−１０分）るので、サンプル（採取）時間の修正をする。
ウェブサーバ８００は、標点（基準点）を提供するために、サンプル（採取）時に、ユーザによって提供される呼気標本に基づいて、酒気検知器６００によって得られたＢＡＣ％の測定値を取得する。
好ましくは、ウェブサーバ８００は、酒気検知器６００に呼気標本（サンプル）を提供するため、サンプル（採取）時間の前の所定の時刻にディスプレイ５４０上のアラームまたはメッセージによって、ユーザ（被検体）に警告を発するように、Ｗｅｂ対応のクライアント装置５００に指示を出す。
Ｗｅｂ対応のクライアント装置５００および／またはウェブサーバ８００のメモリは、酒気検知器６００によって計測データとして使用するために標点（基準点）を記憶（蓄積）する。
ディスプレイ５４０は、ユーザによって酒気検知器６００に入力されるべき基準ポイントを表示し、酒気検知器６００に記憶（蓄積）され、酒気検知器６００によって呼気標本のＢＡＣ％測定値を提供するために使用される計測データ（キャリブレーションデータ）を提供する。
【００６３】
上記詳述された本件発明は、発明の趣旨および範囲から逸脱することなく、種々の修正及び変更可能であることが当業者には明らかになる。
そのような変更・修正の全ては、後述する特許請求の範囲の中に包含されることを意図するものである。
【図１】
0005544048.tif 000002
【図２】
0005544048.tif 000003
【図３】
0005544048.tif 000004
【図４】
0005544048.tif 000005
【図５】
0005544048.tif 000006